(57)【要約】      （修正有）【課題】使用しない時は複数枚の板状体に解体できる簡易コンロを提供する。【解決手段】台形状に形成した前後一対及び左右一対の４枚の金属製側板２，３，４と、金属製底板６とからなり、前側板２に焚口７を形成し、一方の対の側板２，３には夫々両側端に側板組立用タブ２ａ，３ａを突設し、他方の対の側板４，４の夫々両端部にはタブ２ａ，３ａに対応する位置にタブ挿通用スリット４ａを設け、底板６には少なくとも相対向する二辺に底板取付用タブ１１ａを突設し、底板取付用タブ１１ａに対応する複数の側板４の下部所要位置にタブ挿通用スリット１２ａを設ける。さらに、各側板２，３，４の上端側に排煙用切欠部１４を設け、各側板組立用タブ２ａ，３ａを対応する側板４のタブ挿通用スリット４ａに挿通させ、底板６のタブ１１ａを側板４のタブ挿通用スリット１２ａに挿通させることで、４枚の側板２，３，４，４を角錐台形状に組み立て、底板６を取り付ける。【選択図】図１
0003177784.tif 000002
【実用新案登録請求の範囲】
【請求項１】
夫々上辺側が下辺側より短い台形状に形成した前後一対及び左右一対の４枚の金属製側板と、多数の通気孔を設けた薪等燃料載置用の金属製底板とからなり、前側板には焚口を設け、何れか一方の対の側板には夫々両側端に側板組立用タブを突設し、他方の対の側板の夫々両端部には前記タブに対応する位置にタブ挿通用スリットを設け、底板には少なくとも相対向する二辺に底板取付用タブを突設し、これら底板取付用タブに対応する複数の側板の下部所要位置にタブ挿通用スリット設け、各側板の上端側に排煙用切欠部を設け、しかして各側板組立用タブを対応する側板のタブ挿通用スリットに挿通させ、底板のタブを側板のタブ挿通用スリットに挿通させることによって、４枚の側板を角錐台形状に組み立てると共に底板を取り付けてコンロ本体を形成するようにした簡易コンロ。
【請求項２】
４枚の側板には、底板取付位置より下方に多数の通気孔を設けてなる請求項１に記載の簡易コンロ。
【請求項３】
前後一対の側板には夫々両側端に側板組立用タブを突設し、これらのタブを左右一対の側板の夫々前後両端部に設けたタブ挿通用スリットに挿通させるようにすると共に、左右一対の側板の夫々前端部にはその下部に、斜め下方に延びる切欠溝とこれに連通するヒンジ用孔部とを形成し、その上部には、前側板の焚口を塞ぐ焚口塞ぎ板の上端部が納まる凹所を設け、焚口塞ぎ板の左右両端部には、前記切込溝の下側に形成されるフック部が突入すると共に、前記切込溝から前記凹所に至る左右側板の前端部を突入させる側板端部突入用スリットを設け、しかして焚口塞ぎ板の下端部を前記切込溝からヒンジ用孔部に係入した状態で、焚口塞ぎ板を上向きに回転させて突入用スリットに左右側板の前端部を突入させることにより、焚口塞ぎ板を閉鎖姿勢に保持し、焚口塞ぎ板を下向きに回転させることによって開放させるようにした請求項１又は２に記載の簡易コンロ。
【請求項４】
前後左右各側板の上端側には、Ｖ字形の排煙用切欠部を複数設けると共に、Ｖ字形切欠部の谷底部に串焼き用の串を係止させる串係止部を設けてなる請求項１〜３の何れかに記載の簡易コンロ。
【請求項５】
前後及び又は左右に対向する側板の前記串係止部にはその底部に切込溝を設けて、コンロ本体の上端部に載せることのできないような小さい煮炊き用鍋等を載置するための鍋等載置用バーを、対向する切込溝間に架け渡すようにしてなる請求項４に記載の簡易コンロ。
【請求項６】
左右一対の側板には底板取付位置と排煙用切欠部との中間部に、アルコールバーナーを吊持する前後一対のバーナー吊持用バーを左右両側板に亙って挿通するためのバー挿通用スリットを前後に並設してなる請求項１〜５の何れかに記載の簡易コンロ。
【考案の詳細な説明】
【技術分野】
【０００１】
本考案は、山登りをする人がキャンプをする時等に薪等を集めて燃やし、鍋やヤカンを加熱するのに使用する簡易コンロに関するもので、特に本考案は、各一枚の板状体に解体できる簡易コンロに関する。
【背景技術】
【０００２】
従来、種々の簡易コンロが提案されているが、従来の簡易コンロは、立体構造で、解体できないようになっているため、リュックサック等に収納する時に嵩張ってしまうという問題があった。
【考案の概要】
【考案が解決しようとする課題】
【０００３】
本考案は、複数枚の板状体のみから構成されていて、使用しない時には各一枚の板状体に解体できて、コンパクトに収納ができ、持ち運びに便利な簡易コンロを提供することを目的とする。
【課題を解決するための手段】
【０００４】
上記課題を解決するための手段を、後述する実施形態の参照番号を付して説明すると、請求項１は、夫々上辺側が下辺側より短い台形状に形成した前後一対及び左右一対の４枚の金属製側板２，３，４，４と、多数の通気孔５を設けた薪等燃料載置用の金属製底板６とからなり、前側板２には焚口７を形成し、何れか一方の対の側板２，３には夫々両側端に側板組立用タブ２ａ，３ａを突設し、他方の対の側板４，４の夫々両端部には前記タブ２ａ，３ａに対応する位置にタブ挿通用スリット４ａを設け、底板６には少なくとも相対向する二辺に底板取付用タブ１１ａを突設し、これら底板取付用タブ１１ａに対応する複数の側板４の下部所要位置にタブ挿通用スリット１２ａ設け、各側板２，３，４の上端側に排煙用切欠部１４を設け、しかして各側板組立用タブ２ａ，３ａを対応する側板４のタブ挿通用スリット４ａに挿通させ、底板６のタブ１１ａを側板４のタブ挿通用スリット１２ａに挿通させることにより、４枚の側板２，３，４，４を角錐台形状に組み立てると共に底板６を取り付けてコンロ本体１を形成するようにしたことを特徴とする。
【０００５】
請求項２は、請求項１に記載簡易コンロにおいて、４枚の側板２，３，４，４には、底板取付位置より下方に多数の通気孔１３を設けてなることを特徴とする。
【０００６】
請求項３は、請求項１又は２に記載の簡易コンロにおいて、前後一対の側板２，３には夫々両側端に側板組立用タブ２ａ，３ａを突設し、これらのタブ２ａ，３ａを左右一対の側板４の夫々前後両端部に設けたタブ挿通用スリット４ａに挿通させるようにすると共に、左右一対の側板４の夫々前端部にはその下部に、斜め下方に延びる切欠溝２２とこれに連通するヒンジ用孔部２３とを形成し、その上部には、前側板２の焚口７を塞ぐ焚口塞ぎ板８の上端部が納まる凹所２４を設け、焚口塞ぎ板７の左右両端部には、前記切欠溝２２の下側に形成されるフック部２５が突入すると共に、前記切欠溝２２から前記凹所２４に至る左右側板４の前端部４ｏを突入させる側板端部突入用スリット２６を設け、しかして焚口塞ぎ板８の下端部を前記切欠溝２２からヒンジ用孔部２３に係入した状態で、焚口塞ぎ板６を上向きに回転させて突入用スリット２６に左右側板４の前端部４ｏを突入させることにより、焚口塞ぎ板８を閉鎖姿勢とし、焚口塞ぎ板８を下向きに回転させることによって開放させるようにしたことを特徴とする。
【０００７】
請求項４は、請求項１〜３の何れかに記載の簡易コンロにおいて、前後左右各側板２，３，４，５の上端側には、Ｖ字形の排煙用切欠部１４を複数設けると共に、Ｖ字形切欠部１４の谷底部に串焼き用の串１５を係止させる串係止部１６を設けてなることを特徴とする。
【０００８】
請求項５は、請求項４に記載の簡易コンロにおいて、前後及び又は左右に対向する側板４，４の前記串係止部１６にはその底部に切込溝１７を設けて、コンロ本体１の上端部に載せることのできないような小さい煮炊き用鍋等を載置するための鍋等載置用バー１８を、対向する切込溝１７，１７間に架け渡すようにしてなることを特徴とする。
【０００９】
請求項６は、請求項１〜５の何れかに記載の簡易コンロにおいて、左右一対の側板４，４には底板取付位置と排煙用切欠部との中間部に、アルコールバーナー１９を吊持する前後一対のバーナー吊持用バー２０を左右両側板４，４に亙って挿通するためのバー挿通用スリット２１を前後に並設してなることを特徴とする。
【考案の効果】
【００１０】
上記解決手段による考案の効果を、後述する実施形態の参照番号を付して説明すると、請求項１に係る考案によれば、各側板組立用タブ２ａ，３ａを対応する側板４のタブ挿通用スリット４ａに挿通させ、底板６のタブ１１ａを側板４のタブ挿通用スリット１２ａに挿通させることにより、４枚の側板２，３，４，４を角錐台形状に組み立てると共に底板６を取り付けてコンロ本体１を形成して、コンロ全体を簡単容易に組み立てることができる。また側板組立用タブ２ａ，３ａをタブ挿通用スリット４ａ，４ａから離脱させ、底板６側の底板取付用タブ１１ａを後板３及びタブ挿通用スリット１２ａ，１２から離脱させることによって、前後左右４枚の側板２，３，４，４を互いに切り離すと共に、底板６を側板２，３，４から切り離すことができる。このように、コンロ本体１を形成する前後左右４枚の側板２，３，４，４と底板６とを夫々板状体で解体できるから、リュックサック等にコンパクトに収納でき、持ち運びに非常に便利となる。また、前後左右の各側板２，３，４の上端側に排煙用切欠部１４が設けてあるから、これらの切欠部１４によって排煙を有効に行なわせることができる。また、コンロ本体１が角錐台形状で、上窄まり状となっているから、底板６上で薪等の燃焼する火炎がコンロ本体１の頂部に集中し易く、鍋やヤカン等を有効に加熱することができる。
【００１１】
請求項２に係る考案によれば、各側板２，３，４には底板６の取付位置より下方に多数の通気孔１３が設けてあるから、これらの通気孔１３より外気がコンロ本体１内に十分に供給され、薪等の燃焼を効果的に行なわせることができる。
【００１２】
請求項３に係る考案によれば、前後一対の側板２，３には夫々両側端に側板組立用タブ２ａ，３ａを突設し、これらのタブ２ａ，３ａを左右一対の側板４の夫々両端部に設けたタブ挿通用スリット４ａに挿通させると共に、左右一対の側板４の夫々前端部にはその下部に、斜め下方に延びる切欠溝２２とこれに連通するヒンジ用孔部２３とを形成し、その上部には、塞ぐ焚口塞ぎ板８の上端部が納まる凹所２４を設け、焚口塞ぎ板７の左右両端部に、切欠溝２２の下側に形成されるフック部２５が突入すると共に、切欠溝２２から前記凹所２４に至る左右側板４の前端部４ｏを突入させる側板端部突入用スリット２６を設けておき、焚口塞ぎ板８の下端部を切欠溝２２からヒンジ用孔部２３に係入した状態で、焚口塞ぎ板６を上向きに回転させて突入用スリット２６に左右側板４の前端部４ｏを突入させることにより、焚口塞ぎ板８を閉鎖姿勢に保持し、焚口塞ぎ板８を下向きに回転させて開放させるようにしたもので、焚口塞ぎ板８をコンロ本体１に対し開閉可能に取り付けるヒンジ手段として、特別な部材を使用せず、焚口塞ぎ板８及び左右側板４の板材をそのまま利用して構成したから、コンロ本体１からの焚口塞ぎ板８の着脱が容易であると共に、コンロ解体時にはコンロ本体１及び焚口塞ぎ板８を全て夫々板状体のまま解体することができる。
【００１３】
請求項４に係る考案によれば、前後左右各側板２，３，４，５の上端側にはＶ字形排煙用切欠部１４の谷底部に串焼き用の串１５を係止させる串係止部１６が設けてあるから、前側板２側の串係止部１６と後側板３側の串係止部１６との間、あるいは左右側板５，５の串係止部１６，１６間にに串焼き用の串１５を架け渡すことにより、焼き鳥等の串焼きを行なうことができる。
【００１４】
請求項５に係る考案によれば、コンロ本体１の頂部に載せることのできないような小さい煮炊き用鍋等を載置するための鍋等載置用バー１８を、対向する切込溝１７，１７間に２列状に架け渡すことにより、そのような小さい煮炊き用鍋等を２つのバー１８，１８上に載せて加熱することができる。
【００１５】
請求項６に係る考案によれば、左右一対の側板４，４には底板取付位置と排煙用切欠部との中間部に、前後一対のバー２０，２０を左右両側板４，４にわたって挿通するためのバー挿通用スリット２１を前後に並設しているから、アルコールバーナー１９をフック等を介して両バー２０，２０に吊持し、そのアルコールバーナー１９によって鍋やヤカン等を加熱することができ、またこれらのバー２０，２０によってコンロ本体１を補強することができる。
【図面の簡単な説明】
【００１６】
【図１】本考案に係る簡易コンロの斜視図で、焚口塞ぎ板を開放した状態を示す。
【図２】同簡易コンロの斜視図で、焚口塞ぎ板を閉鎖姿勢に保持した状態を示す。
【図３】(a) はコンロ本体の前側板を示す正面図、(b) は後側板の正面図である。
【図４】(a) は左右側板の正面図、(b) は底板の平面図である。
【図５】(a) は焚口塞ぎ板の正面図、(b) は鍋載置用バーの平面図、(c) はバーナー吊持用バーの平面図である。
【図６】図２のＸ−Ｘ線拡大断面図である。
【図７】図２のＹ−Ｙ線拡大断面図である。
【図８】焚口塞ぎ板の開閉構造を示す拡大断面図である。
【考案を実施するための形態】
【００１７】
以下に本考案の好適な実施形態について図面を参照しながら説明すると、本考案に係る簡易コンロを示す図１及び図２において、１は有底角錐台形状のコンロ本体で、このコンロ本体１は、夫々上辺側が下辺側より短い略々台形状に形成された前後一対の側板２，３及び左右一対の側板４，４からなる４枚の金属製側板２，３，４，４と、多数の通気孔５・・・を形成した薪等燃料載置用の金属製底板６とによって構成される。前側板２には焚口７が開口形成され、この焚口７は、焚口塞ぎ板８で塞がれるようになっている。これら側板２，３，４及び焚口塞ぎ板８は、鋼板材、好ましくはチタンの板材で形成される。
【００１８】
図３の(a) ，(b) に示すように、台形状に形成された前側板２及び後側板３には夫々両側端の上下２箇所に、側板組立用タブ２ａ，３ａが側板２，３と同一面状に突設され、そして各側板組立用タブ２ａ，３ａには付け根部の下側部分に切込溝ｋが設けられている。また図４の(a) に示すように、同じく台形状に形成された左右側板４，４の夫々両端部には前後側板２，３の側板組立用タブ２ａ，３ａと対応する位置に、タブ挿通用スリット４ａ，４ａが設けられている。
【００１９】
底板６は、図４の(b) に示すように、略々正方形に形成されていて、その全体にわたり多数に通気孔５が設けられており、またこの正方形状底板６には、左右両端側に対向する二辺と後端側の一辺との三辺に夫々底板取付用タブ１１ａが同一面状に突設されている。そして、図３の(b) 及び図４の(a) に示すように、後側板３及び左右側板４の夫々下部所要位置には、底板６の底板取付用タブ１１ａが挿通するタブ挿通用スリット１２ａが設けられている。このスリット１２ａは左右に対向する両側板４，４のみに設けてもよい。
【００２０】
また、図３及び図４に示すように、前側板２、後側板３及び左右側板４，４には夫々、底板６が取り付けられる位置よりも下方に多数の通気孔１３が設けられている。
【００２１】
前側板２、後側板３及び左右側板４，４の夫々上端側にはＶ字形の排煙用切欠部１４が２つ並設されると共に、各Ｖ字形切欠部１４の谷底部には、図１に示すように、前後又は左右に対向するＶ字形切欠部１４，１４の谷底部間に架け渡す串焼き用の串１５の端部を係止させるＵ字状の串係止部１６が形成されている。
【００２２】
また、左右に対向する側板４，４に設けたＶ字形切欠部１４，１４のＵ字状串係止部１６，１６には夫々の底部に切込溝１７が設けられていて、コンロ本体１の上端部に載せることのできないような小さい煮炊き用鍋やヤカン（図示せず）等を載置するための鍋等載置用バー１８を、対向する切込溝１７，１７間に架け渡すことができるようになっている（図１参照）。この実施形態では、左右各側板４側の串係止部１６にのみ、その底部に切込溝１７を設けて、左右方向に対向する切込溝１７，１７間に鍋等載置用バー１８を載置できるようにしているが、この切込溝１７は、左右各側板４側の串係止部１６及び前後側板２，３側の串係止部１６に設けることができるし、前後側板２，３側の串係止部１６にのみ設けることができる。いずれにしても、図１の実線で示すバー１８と仮想線で示すバー１８との２本のバー１８，１８によって、コンロ本体１の上端部では載せることのできない小さい煮炊き用鍋等を載置する。図５の(b) に示すように、鍋等載置用バー１８の両端部下面側所要位置には切込溝ｍが設けてある。
【００２３】
また、図７に示すように、左右一対の側板４，４には底板６の取付位置と排煙用切欠部１４との中間部に、アルコールバーナー１９を吊持する前後一対のバーナー吊持用バー２０を両側板４，４にわたって挿通するためのバー挿通用スリット２１が左右両側に設けられている。このバーナー吊持用バー２０は図５の(c) に示しており、このバー２０の両端部下面側所要位置には切込溝ｎが設けられている。
【００２４】
図５の(a) はコンロ本体１の前側板２に設けてある焚口７を塞ぐ焚口塞ぎ板８を示したもので、この焚口塞ぎ板８の両端部には夫々、後述する左右側板４の前端部４ｏが突入する突入用スリット２６が設けられている。
【００２５】
そして、図１，図２，図４の(a) 及び図７に示すように、左右一対の側板４，４の夫々前端部にはその下部に、約４５°の傾斜で斜め下方に切欠された切欠溝２２とこれに連通するヒンジ用孔部２３とが形成され、その上部には、前側板２の焚口７を塞ぐ焚口塞ぎ板８の上端部が納まる凹所２４が設けられ、焚口塞ぎ板８の左右両端部には、前記切欠溝２２の下側に形成されるフック部２５が突入すると共に、前記切欠溝２２の上側から前記凹所２４に至る左右側板４の前端部４ｏが突入する突入用スリット２６が設けられている。従って、焚口塞ぎ板８の取付けにあたっては、図８に示すように、焚口塞ぎ板８の下端部を前記切欠溝２２からヒンジ用孔部２３に係入した状態で、焚口塞ぎ板８を上向きに回転させて突入用スリット２６に焚口塞ぎ板の左右各側端部４ｏを突入させることにより、焚口塞ぎ板８を閉鎖姿勢とし、また焚口塞ぎ板８を手前側へ回転させることによって焚口塞ぎ板８を開放させることができる。
【００２６】
上記のように前後一対の側板２，３及び左右一対の側板４，４からなる４枚の金属製側板２，３，４，４と、薪等燃料載置用の金属製底板６とによって構成される簡易コンロを組み立てるには、前後側板２，３の夫々側板組立用タブ２ａ，３ａを、左右側板４，４のタブ挿通用スリット４ａに挿通させると共に、底板６のタブ１１ａを後側板３及び左右側板４のタブ挿通用スリット１２ａに挿通させることにより、４枚の側板２，３，４，４を角錐台形状に組み立てると共に側板３，４，４に底板６を取り付けてコンロ本体１を形成する。
【００２７】
このコンロ本体１の形成にあたって、側板組立用タブ２ａ，３ａには付け根部の下側に切込溝ｋが設けてある（図３参照）ため、前後側板２，３のタブ２ａ，３ａを左右側板４のタブ挿通用スリット４ａに挿通させた後、前後側板２，３を引き下げて、図６に示すようにタブ２ａ，３ａの切込溝ｋをスリット４ａの下側部分に嵌め込ませることによって、スリット４ａに対するタブ２ａ，３ａの抜け出しを阻止し、それにより側板２，３，４，４どうしを堅固に組み立てることができる。
【００２８】
こうしてコンロ本体１を形成した後、前側板２の焚口７を開閉するための焚口塞ぎ板８を取り付ける。この焚口塞ぎ板８の取付けにあたっては、焚口塞ぎ板８の下辺側両端部を、左右側板４，４の前端側下部に形成された切欠溝２２，２２からヒンジ用孔部２３に係入した状態で、焚口塞ぎ板６を上向きに回転して、焚口塞ぎ板８のスリット２６に左右側板４の側端部４ｏを突入させることにより、焚口塞ぎ板８を図２に示すような閉鎖姿勢とすることができ、また焚口塞ぎ板８を手前側へ回転して、焚口塞ぎ板８のスリット２６を左右側板４の側端部４ｏから抜き出すことにより、焚口塞ぎ板８を図１に示すような開放状態とすることができる。
【００２９】
上記のようにして組み立てた簡易コンロを使用する時は、図１に示すように焚口塞ぎ板８を開放しておいて、図示は省略するが、コンロ本体１の頂部に煮炊き用鍋やヤカン等の載せ、そして掻き集めた薪を焚口７からコンロ本体１内に入れて底板６上に載せた状態で着火し、薪が燃え出したら、焚口塞ぎ板８を閉めれば良い。この場合、前後左右の各側板２，３，４の上端側に排煙用切欠部１４が設けてあるから、これら切欠部１４からの排煙によって燃焼を有効に行なわせることができる。また各側板２，３，４には、底板６の取付位置より下方に多数の通気孔１３が設けられているから、これら通気孔１３により外気がコンロ本体１内に十分に供給され、薪等の燃焼を効果的に行なわせることができる。
【００３０】
またこの場合、図１，図２，図６及び図７に示すように、前後左右各側板２，３，４の上端側に２つの排煙用切欠部１４，１４が設けてあるが、これら２つの排煙用切欠部１４，１４間に形成される山部ａが、その両側に形成される２つの山部ｂ，ｂより高くなっていることから、図１及び図２に示すようにコンロ本体１の頂部には、高さの高い４つの山部ａ，ａ，ａ，ａによって、いわゆる五徳が形成され、この五徳により鍋やヤカンを的確に支持できると共に有効に加熱することができる。
【００３１】
また、前後左右各側板２，３，４，５には、その上端側にあるＶ字形排煙用切欠部１４の谷底部に串焼き用の串１５を係止させる串係止部１６が設けてあるから、図１に示すように前側板２側の串係止部１６と後側板３側の串係止部１６との間、あるいは左右側板５，５の串係止部１６，１６間にに串焼き用の串１５を架け渡すことにより、焼き鳥等の串焼きを行なうことができる。
【００３２】
また、左右に対向する側板４，４に設けたＶ字形切欠部１４の串係止部１６，１６にはその底部に切込溝１７，１７を設けて、コンロ本体１の頂部（この実施形態では、４つの山部ａ・・・からなる五徳）に載せることのできないような小さい煮炊き用鍋等を載置するための鍋等載置用バー１８を、対向する切込溝１７，１７間に２列に架け渡すことにより、その小さい煮炊き用鍋等を２つのバー１８，１８上に載せて加熱することができる。この場合、鍋等載置用バー１８の両端部下面側所要位置には切込溝ｍが設けてあるから、この切込溝ｍを側板４側の切込溝１７に押し込むことによって、バー１８を串係止部１６の下端まで沈めることができる。
【００３３】
また図１及び図２から分かるように、左右一対の側板４，４には底板取付位置と排煙用切欠部との中間部に、アルコールバーナー１９を吊持する前後一対のバーナー吊持用バー２０を左右両側板４，４にわたって挿通するためのバー挿通用スリット２１が前後に並設されているので、図１に実線で示す一つのバー２０と仮想線で示すもう一つバー２０との２つのバー２０，２０を、左右両側板４，４にわたってバー挿通用スリット２１，２１に挿通することによって、図７に仮想線で示すようなアルコールバーナー１９を図示しないフックを介して両バー２０，２０に吊持することができ、それによりアルコールバーナー１９で鍋やヤカン等を加熱することができる。この場合、バー２０の両端部下面側所要位置に切込溝ｎが設けてあるため、この切込溝ｎをバー挿通用スリット２１の下方へ押し込むことによって、バー２０の両端部を左右側板６，６に係嵌固定させ、コンロ本体１を的確に補強することができる。
【００３４】
上記のように簡易コンロを使用した後は、鍋等載置用バー１８及びバーナー吊持兼コンロ本体補強用バー２０は、夫々引き抜くことにより簡単に取り外すことができ、また焚口塞ぎ板８は、図８の仮想線図示のように、側板前端部４ｏに設けた切欠溝２２の傾斜角度（４５°）に傾斜させた状態から引き上げることによって簡単に取り外すことができる。この後、前後側板２，３側の側板組立用タブ２ａ，３ａを左右側板４，４側のタブ挿通用スリット４ａ，４ａから離脱させ、また底板６側の底板取付用タブ１１ａを後板３及び左右側板４，４のタブ挿通用スリット１２ａ，１２から離脱させることによって、前後左右４枚の側板２，３，４，４を互いに切り離すと共に、底板６を側板２，３，４から切り離すことができる。
【００３５】
この簡易コンロは、上記のように、コンロ本体１を形成する前後左右４枚の側板２，３，４，４と焚口塞ぎ板８との５枚の完全な板状体に解体できるから、リュックサック等にコンパクトに収納でき、持ち運びに非常に便利となる。また、前後左右の各側板２，３，４の上端側に排煙用切欠部１４が設けてあるから、これらの切欠部１４によって排煙を有効に行なわせることができる。また、コンロ本体１が角錐台形状で、上窄まり状となっているから、底板６上で薪等の燃焼する火炎がコンロ本体１の頂部に集中し易く、鍋やヤカン等を有効に加熱することができる。
【００３６】
また、上述した簡易コンロでは、図１及び図２から分かるように、前後一対の側板２，３には夫々両側端に側板組立用タブ２ａ，３ａを突設し、これらのタブ２ａ，３ａを左右一対の側板４の夫々両端部に設けたタブ挿通用スリット４ａに挿通させると共に、左右一対の側板４の夫々前端部にはその下部に、斜め下方に延びる切欠溝２２とこれに連通するヒンジ用孔部２３とを形成し、その上部には、塞ぐ焚口塞ぎ板８の上端部が納まる凹所２４を設け、焚口塞ぎ板７の左右両端部に、切欠溝２２の下側に形成されるフック部２５が突入すると共に、切欠溝２２から前記凹所２４に至る左右側板４の前端部４ｏを突入させる側板端部突入用スリット２６を設けておき、焚口塞ぎ板８の下端部を切欠溝２２からヒンジ用孔部２３に係入した状態で、焚口塞ぎ板６を上向きに回転させて突入用スリット２６に左右側板４の前端部４ｏを突入させることによって、焚口塞ぎ板８を閉鎖姿勢に保持し、焚口塞ぎ板８を下向きに回転させて開放させるようにしたもので、焚口塞ぎ板８をコンロ本体１に対し開閉可能に取り付けるヒンジ手段として、特別な部材を使用せず、焚口塞ぎ板８及び左右側板４の板材をそのまま利用して構成したから、コンロ本体１からの焚口塞ぎ板８の着脱が容易であると共に、コンロ解体時にはコンロ本体１及び焚口塞ぎ板８を全て板状体のまま解体することができる。
【符号の説明】
【００３７】
１            コンロ本体
２            前側板
２ａ          側板組立用タブ
３            後側板
３ａ          側板組立用タブ
４            左右側板
４ａ          タブ挿通用スリット
４ｏ          左右側板の前端部
５            底板の通気孔
６            底板
７            焚口
１１ａ        底板取付用タブ
１２ａ        タブ挿通用スリット
１３          側板の通気孔
１４          排煙用切欠部
１６          串係止部
１７          切込溝
１９          アルコールバーナー
２０          バーナー吊持兼コンロ本体補強用バー
２２          切欠溝
２３          ヒンジ用孔部
２４          凹所
２５          フック部
【図１】
0003177784.tif 000003
【図２】
0003177784.tif 000004
【図３】
0003177784.tif 000005
【図４】
0003177784.tif 000006
【図５】
0003177784.tif 000007
【図６】
0003177784.tif 000008
【図７】
0003177784.tif 000009
【図８】
0003177784.tif 000010